(57)【要約】【課題】ボルトにて母材を締結する際、座金と母材との接合面が凹凸を有する状態や、母材が傾斜している状態でも、高い締結力と優れた密着性を保持することができる座金を提供する。【解決手段】中央に貫通孔３が穿孔された弾性部材２と、該弾性体２に外嵌され、中央に貫通孔が穿孔６された金属製被覆材４とからなり、弾性部材２の上面および側面の少なくとも一部が金属製被覆材４で被覆されている。弾性部材２の側面の下部が、金属製被覆材４の底部から突出している。【選択図】図１
0003135378.tif 000002
【実用新案登録請求の範囲】
【請求項１】
中央に貫通孔が穿孔された弾性部材と、該弾性体に外嵌され、中央に貫通孔が穿孔された金属製被覆材とからなり、前記弾性部材の上面および側面の少なくとも一部が前記金属製被覆材で被覆されていることを特徴とする座金。
【請求項２】
前記弾性部材の側面の下部が、金属製被覆材の底部から突出している請求項１記載の座金。
【考案の詳細な説明】
【技術分野】
【０００１】
本考案は、座金に関し、詳しくは、ボルトにて母材を締結する際、座金と母材との接合面が凹凸を有する状態や、母材が傾斜している状態でも、高い締結力と優れた密着性を保持することができる座金に関する。
【背景技術】
【０００２】
従来、母材をボルトとナットで締付ける際、母材とボルト、また母材とナットの間に、ボルト穴の開いた金属製の座金を挟み込むことが行われる。また、気密性を保持する目的や、傷付きやすい母材に使用する場合、ゴムやカーボネート等の素材からなる樹脂製の座金も使用されている。
【０００３】
例えば、特許文献１には、締付け部における小さな許容曲げ応力部材の破損を防止し、機器の必要機能維持及び組立作業の効率化を図ることができる中ぐり座金が報告されている。かかる中ぐり座金は、平板状円環体の片面中央に、ボルト挿通穴と同心状の円形凹部を形成して、内側を薄肉、外側を厚肉の構造とし、厚肉部分のみにボルトの締め付け力が伝達されるようにした構造からなる。
【０００４】
また、特許文献２には、ボルトとナットとの締結の弛みを防止する座金部材が報告されている。かかる座金部材は、ボルトおよびナットにより締結される被締結部材と前記ナットの締め付け面との間に装着されて、前記ボルトと前記ナットとの締結の弛みを防止する座金部材であって、前記ボルトの軸部が挿通されボルト挿通孔が設けられ、前記ナットの締め付け面から加えられる締め付け荷重により弾性変形する弾性変形座面部と、前記弾性変形座面部の前記ボルト挿通孔の径方向の一方側に設けられて前記弾性変形座面部の荷重を支持し、高さ寸法が大きく形成された第１荷重支持部と、前記弾性変形座面部の前記ボルト挿通孔の径方向の他方側に設けられて前記弾性変形座面部の荷重を支持し、高さ寸法が前記第１荷重支持部よりも小さく形成された第２荷重支持部とを有し、前記ナットと前記ボルトとを締付けたときに前記ナットの締め付け面に加わる弾性力が、前記第１荷重支持部側と第２荷重支持部とで異なる構造となっている。
【特許文献１】特開２００２−８９５３５号公報
【特許文献２】特開２００３−９０３２０号公報
【考案の開示】
【考案が解決しようとする課題】
【０００５】
しかしながら、一般的な金属製の座金においては、母材表面に凹凸がある場合、締結力や密着性が低下するという問題があった。また、樹脂製の座金においては、凹凸面での気密性を発揮する一方、高い締結強度を得ることができなかった。さらに、樹脂製の座金においては、ボルトを強く締付けると座金に亀裂が生じてしまうという欠点もあった。
【０００６】
また、特許文献１記載の中ぐり座金や特許文献２記載の座金部材においては、凹凸部の対応や緩み防止の効果が開示されているものの、高い締結力を有し、さらに優れた気密性の両方の特性を兼ね備えるという点においては必ずしも十分とはいえなかった。
【０００７】
そこで本考案の目的は、ボルトにて母材を締結する際、座金と母材との接合面が凹凸を有する状態や、母材が傾斜している状態でも、高い締結力と優れた密着性を保持することができる座金を提供することにある。
【課題を解決するための手段】
【０００８】
上記課題を解決するために本考案の座金は、中央に貫通孔が穿孔された弾性部材と、該弾性体に外嵌され、中央に貫通孔が穿孔された金属製被覆材とからなり、前記弾性部材の上面および側面の少なくとも一部が前記金属製被覆材で被覆されていることを特徴とするものである。
【０００９】
また、前記座金において、前記弾性部材の側面の下部が、金属製被覆材の底部から突出していることが好ましい。
【考案の効果】
【００１０】
本考案の座金は、ボルトとの接触面が金属製被覆材であるため、ボルトを強く締め付けても座金上面に亀裂が生じることがなく高い締結力が得られる。また母材との接触面が弾性部材であることにより、凹凸や傾斜を有する接合面においても効率よく密着し優れた気密性を発揮する。
【考案を実施するための最良の形態】
【００１１】
以下、本考案の座金における一実施の形態を図面に基づいて説明する。
図示する座金１は、貫通孔３を穿孔した円筒状の弾性部材２と、この弾性部材２の上面７および側面８の少なくとも一部を被覆した状態で外嵌される、貫通孔６を穿孔した金属製被覆材４とを備えている。
【００１２】
弾性部材２は、ゴム等のエラストマーやポリカーボネート等の合成樹脂製の素材からなり、肉厚円柱状を呈している。また、弾性部材２の中央には、汎用のボルト２０を挿通する貫通孔３が穿孔されている。なお、図中、弾性部材２は肉厚円柱状を呈しているが、大きさや厚さ、また全体形状等は特に限定されるものではない。さらに、適度の強度と弾力性を有するものであれば上述の素材に限定されない。
【００１３】
弾性部材２に外嵌される金属製被覆材４は底面に開口部を有する円筒状を呈しており、適宜強度、防錆性、耐候性を有する金属、例えば、鉄材で一体的に形成されている。また、金属製被覆材４の上面中央には、汎用のボルトを挿通する貫通孔６が穿孔されている。これにより、ボルトとの接触面において高い強度を発揮でき、ボルト締結時に亀裂や変形が生じることがない。なお、金属製被覆材４は鉄材に限定されず、ステンレス、アルミ等の金属で一体的に形成されたものでもよい。
【００１４】
また、金属製被覆材４は、弾性部材２の上面７および側面８を被覆する状態に固定されている。固定方法としては、接着剤を用いた固定方法、または接着剤と圧入とを組み合わせた固定方法等が挙げられる。なお、弾性部材２に金属製被覆材４を固定した際、ボルトの貫通が可能となるように貫通孔３、６の位置が一致するようにする。
【００１５】
また、この際、弾性部材２の側面の下部が、金属製被覆材４の底部から突出していることが好ましい。具体的には、図３に示すように、弾性部材２に金属製被覆材４を固定した際、弾性部材２の下部には、金属製被覆材４の底部５から突出した突出部１０が形成される。これにより、図４に示すように、ボルト２０で母材３０を締め付けた際、弾性部材２の突出部１０が押圧され湾曲し、母材３０との高い密着が得られ、気密性が向上する。
【００１６】
次に、本考案の座金における他の使用方法を説明する。
図５は、表面に凹凸を有する母材３１に座金１を使用した状態を示すものである。ボルト２０にて母材３１を締め付けると、弾性部材２の底部９が母材３１の凹凸形状に合わせて変形し密着する。即ち、接触面に凹凸を有する母材３１であっても高い気密性が得られる。
【００１７】
図６は、本発明の座金を木材からなる母材３２を締結した状態を示す。ボルト２０を締め付けると、弾性部材２の底部９が木材表面の凹凸に合わせて変形する。これにより、建築分野における木材の締結にも優れた密着性を得ることができる。
【００１８】
図７は、本発明の座金１を傾斜状に配設されている母材３０に適用した状態を示す。この場合、ナット２１側にも本考案の座金１を装着することで、傾斜状態に配設された母材３０の締結も良好に行うことができる。
【図面の簡単な説明】
【００１９】
【図１】本考案の座金の全体斜視図である。
【図２】前記座金の分解状態の斜視図である。
【図３】前記座金の断面図である。
【図４】前記座金の使用状態の断面図である。
【図５】前記座金を凹凸を有する母材に使用した状態の拡大断面図である。
【図６】前記座金を木材に使用した状態の拡大断面図である。
【図７】前記座金を傾斜状態の母材に使用した拡大断面図である。
【符号の説明】
【００２０】
１    座金
２    弾性部材
３    貫通孔
４    金属製被覆材
５    開口部
６    貫通孔
７    上面
８    側面
９    底部
１０  突出部  
２０  ボルト
２１  ナット
３０  母材
３１  母材
３２  母材
【図１】
0003135378.tif 000003
【図２】
0003135378.tif 000004
【図３】
0003135378.tif 000005
【図４】
0003135378.tif 000006
【図５】
0003135378.tif 000007
【図６】
0003135378.tif 000008
【図７】
0003135378.tif 000009